(57)【要約】      （修正有）【課題】ブラシ具とチューブ容器とからなるマスカラ用化粧セットに関する。【解決手段】ブラシ具１とチューブ容器６とからなるマスカラ用化粧セットにおいて、ブラシ部が上記チューブ容器の口部から導出されたマスカラ液をブラシ部の一側に添って長手方向に延びる付着可能な第１エリア２Ａと、ブラシ部の他側に添って長手方向に延びるマスカラ液を付着させない第２エリア２Ｂとを有しており、第１エリアに付着したマスカラ液をマツ毛に付着させ、第２エリアでマスカラ液の付着したマツ毛を梳くことができるようにしたことを特徴とする。【選択図】図２
0003133490.tif 000002
【実用新案登録請求の範囲】
【請求項１】
先端にブラシ部を有して該ブラシ部を保持する保持部と、該保持部に対して前後方向から着脱可能に嵌合するキャップ部とからなるブラシ具と、
前記ブラシ部を挿入できない口径に設定された口細の口部を有してマスカラ液が充填されたチューブ容器とからなり、
前記ブラシ部が、上記チューブ容器の口部から導出されたマスカラ液を、ブラシ部の一側に添って長手方向に延びる付着可能な第１エリアと、ブラシ部の他側に添って長手方向に延びるマスカラ液を付着させない第２エリアとを有しており、
第１エリアに付着したマスカラ液をマツ毛に付着させ、第２エリアでマスカラ液の付着したマツ毛を梳くことができるようにしたことを特徴とするマスカラ用化粧セット。
【請求項２】
チューブ容器の口部が、開口部の大きさを変更しうることを特徴とする請求項１に記載のマスカラ用化粧セット。
【請求項３】
ブラシ部の第１エリアと第２エリアとの間に仕切エリアが形成されていることを特徴とする請求項１に記載のマスカラ用化粧セット。
【考案の詳細な説明】
【技術分野】
【０００１】
この考案は、ブラシ具とチューブ容器とからなるマスカラ用化粧セットに関する。
【背景技術】
【０００２】
マスカラは、マツ毛にマスカラ液を塗布してマツ毛を濃く長くみせ、又はカールすることで目元の印象を強める目的で用いられるアイメイクアップ化粧品であるが、マスカラの化粧方法を簡便にするものとして、例えば図６や特開平９−１８２６１６号のマスカラ等兼用塗布具のように、マスカラ液が充填された容器１６の蓋部１７にブラシ部１２を一体に取り付けておき、ブラシ部１２をマスカラ液に浸漬した状態で使用に供している。
そのため、機能性には優れるが、使用時には、ブラシ部１２の全域にマスカラ液が付着しているため、ユーザーのマツ毛の状態の違いにかかわらず、常に、ブラシ部分にたっぷり付着したマスカラ液を塗布することになり、個別に相応しい化粧効果を得るには無理があった。
また、ブラシ部１２を有する蓋部１７と容器１６とは一体であるので、一方だけが使えなくなった場合でも全体が使用できなくなるため、使い捨ての部分が多すぎる欠点があった。。
そこで、本考案者は、実用新案登録第３１１４３７５号のマスカラ用ブラシ具で、ブラシ具を容器と別体とする構成を提案し相当の成果を挙げている。
本考案者は更に、鋭意研究の結果、マスカラの化粧効果を上げることができるマスカラ用化粧セットを開発し、本考案を完成するに至った。
【特許文献１】特開平９−１８２６１６号
【特許文献２】実用新案登録第３１１４３７５号
【考案の開示】
【考案が解決しようとする課題】
【０００３】
この考案は上記実情に鑑みてなされたもので、その主たる課題は、
マスカラ液とブラシ部を分離することで、マスカラメイクをユーザー主動で行うことができるようにしてユーザー個々のマツ毛の違いを量、質ともに満足させ、個性のあるアイメイクアップを実現することにある。
【課題を解決するための手段】
【０００４】
上記課題を解決するために、請求項１の考案では、
先端にブラシ部を有して該ブラシ部を保持する保持部と、該保持部に対して前後方向から着脱可能に嵌合するキャップ部とからなるブラシ具と、
前記ブラシ部を挿入できない口径に設定された口細の口部を有してマスカラ液が充填されたチューブ容器とからなり、
前記ブラシ部が、上記チューブ容器の口部から導出されたマスカラ液を、ブラシ部の一側に添って長手方向に延びる付着可能な第１エリアと、ブラシ部の他側に添って長手方向に延びるマスカラ液を付着させない第２エリアとを有しており、
第１エリアに付着したマスカラ液をマツ毛に付着させ、第２エリアでマスカラ液の付着したマツ毛を梳くことができるようにしたことを特徴とする。
請求項２の考案では、
前記チューブ容器の口部が、開口部の大きさを変更しうることを特徴とする。
請求項３の考案では、
前記ブラシ部の第１エリアと第２エリアとの間に仕切エリアが形成されていることを特徴とする。
【考案の効果】
【０００５】
この考案では、マスカラ液とブラシ部とが分離しているので、ブラシに付着するマスカラ液の付着量をユーザーが個々のマツ毛の違いに応じて調整することができるので、個性のあるマスカラメイクを行うことができる。
また、ブラシ部はマスカラ液中に浸漬しないので、ブラシの素材を天然毛にすることも可能である。
【考案を実施するための最良の形態】
【０００６】
マスカラ用化粧セットを、マスカラ液の入ったチューブ容器と、ブラシ部とに分離独立させると共に、ブラシ部の一側方にマスカラ液を付着させ、他側方にはマスカラ液を付着させずにコームとして使用しうることでマスカラメイクを個々のマツ毛に応じて繊細に行うという目的を実現した。
【実施例１】
【０００７】
以下に、この考案のマスカラ用化粧セットの実施の形態を図面を参照しながら説明する。
マスカラ用化粧セット１０は、ブラシ部２を有するブラシ具１と、マスカラ液が充填されたチューブ容器６とからなっている。
【０００８】
［ブラシ具］
ブラシ具１は、先端に設けられたブラシ部２と、該ブラシ部２を保持する保持部３と、該保持部３に対して長手方向の前後で着脱可能に嵌合するキャップ部４とからなっている。
【０００９】
［ブラシ部］
ブラシ部２は、芯線に２つ折りした毛材を固着し、芯線を中心に放射状に配置した形状からなっている。
本実施例の場合、毛材として１００％の天然毛を使用している。
ここで、天然毛は、山羊の毛や馬の毛が好ましいが、その他の動物の天然毛を用いてもよい。
【００１０】
上記ブラシ部２の毛材として全て天然毛を用いた場合を例示したが、この考案では、天然毛に限らず、化学繊維、例えば公知のナイロン、ＰＢＴなどであってもよく、あるいは天然毛と上記化学繊維との混毛や、その他の素材との混毛であってもよい。
【００１１】
前記ブラシ部２は、ブラシ部２の一側に添って長手方向に延びる第１エリア２Ａと、ブラシ部２の他側に添って長手方向に延びる第２エリア２Ｂとを有している。
ここで、ブラシ部２において第１エリア２Ａと第２エリア２Ｂとは、予めその位置を固定するものであっても、あるいは相対的に変更しうる位置関係にあってもよい。
【００１２】
図示例の場合、ブラシ部２の毛材の中にチューブ容器６のノズル部７を差し込んでマスカラ液をゆっくりと押し出し、ノズル部７の先でマスカラ液をブラシ部２の長手方向に添って擦り付けると、ノズル部７の口径が細いため、マスカラ液が付着したブラシ部２の略半面が第１エリア２Ａとなり、マスカラ液が付着しなかった残りの略半面が第２エリア２Ｂとなる。
【００１３】
［保持部］
保持部３は、本実施例の場合、ブラシ部２の下端にブラシ部２より小径の軸部３Ａを設けており、該軸部３Ａの下部にキャップ部４を着脱可能に掛止める保持部本体３Ｂが形成されている。
この考案で保持部の形状は上記実施例に限定されないこと勿論であり、軸部を有さず保持部本体だけの構成でもよく、またブラシ部２より大径であってもよい。
【００１４】
図示例ではブラシ部２より小径の軸部３Ａを設けたので、保持部３が容器６のノズル部７に接触しにくくなり汚れが付きにくい。
保持部本体３Ｂは、後述のキャップ部４の内周面と整合するように外周が設定されており、図示例の場合、中途位置にキャップ４の先端４ａと衝合して、それ以上の嵌合を阻止する鍔部５を一体に形成している。
【００１５】
［キャップ部］
キャップ部４は、先端が開口する略砲弾状の中空体からなっており、ブラシ不使用時にはブラシ部２に外嵌してキャップ先端４ａを保持部３の前方から掛止めてキャップとして用い、ブラシ使用時にはブラシ部２から外してキャップ先端４ａを保持部３の後方から掛け止めて延長把持部として用いるキャップ兼把持部として用いることができる。
【００１６】
［チューブ容器］
チューブ容器６は、前記ブラシ部２を挿入できない大きさの開口に設定された口細の口部となるノズル部７と、該ノズル部７を先端に設けた容器本体８Ａと、該容器本体８Ａに係脱してノズル部７を開閉するキャップ８Ｂとからなっている。
容器本体８Ａには、その内部にマスカラ液が充填されており、容器本体８Ａを挟圧することでノズル部７からマスカラ液を押し出すことができるようになっている。
【００１７】
［使用法］
そこで、チューブ容器６を挟圧してノズル部７からマスカラ液を押し出す。
前述のように、ブラシ部２の中にノズル部７を差し込んでゆっくりと押し出し、ノズル部７の先でマスカラ液をブラシ部２の長手方向の略半面に付着させる。
この際に、ブラシ部２に付着させるマスカラ液の量は、チューブ容器６から押し出す量を調整することで、ユーザーに最適の量とすることができる。
【００１８】
次いで、従来と同様のメイク法で、ブラシ部２の第１エリア２Ａのマスカラ液をマツ毛に絡ませて塗布する。
そして、必要以上にマツ毛に付着したマスカラ液は、ブラシ部２を反転させてマスカラ液のつかない第２エリア２Ｂで櫛のように梳き取りながらカールさせる。
【実施例２】
【００１９】
図３には、ノズル部７の口径を変更することができる異なる実施例のチューブ容器６を示す。
このノズル部７は、先端が小径で基端が大径となる截頭円錐形の筒部からなっており、その長手方向に添って複数段に切り取り用の目印線９が形成されている。
【００２０】
これにより、上記目印線９に沿ってノズル部７を横に切断することで、口径を拡大することができるので、ユーザーの使用するマスカラ液の量（太さ）を増やすことができる。
その他の構成は前記実施例と同様であるので、その説明を省略する。
【実施例３】
【００２１】
図４に示すノズル部７は、チューブ容器の口部に着脱可能な構成からなっている。
そこで、上記ノズル部７として口径の異なるもの（図示例ではＲ１＜Ｒ２）を複数用意しておくことで、ユーザーは最適の大きさのノズル部７を選択して使用することができる。
【００２２】
また、ノズル部７を外してチューブ容器６の口部７’を直接用いれば、更に大径の口径（Ｒ２＜Ｒ３）とすることができる。
ここで上記口部７’もブラシ部２を挿入できない細い口径に設定されていること勿論である。
この実施例もその他の構成は前記実施例と同様であるので、その説明を省略する。
【実施例４】
【００２３】
図５に示すブラシ部２は、第１エリア２Ａと第２エリア２Ｂとの位置を固定した場合であって、両エリアの間に、仕切エリア２Ｃが形成されている。
仕切エリア２Ｃは、第１エリア２Ａにマスカラ液を付着した場合に、マスカラ液が第２エリア２Ｂまで垂れてこないようにするためのエリアであって、図５（ａ）の場合は、仕切エリアの毛材の密度を高めてマスカラ液を流下しにくくしている。
【００２４】
図５（ｂ）は、仕切エリア２Ｃとして毛材を設けない溝とした場合であり、図５（ｃ）は仕切プレート２Ｃを設けてマスカラ液の流下を堰き止める構成となっている。
その他、仕切エリアは、マスカラ液を第１エリア２Ａに留めうる構成であればよく、上記図示例に限定されない。
これにより、一層確実に第１エリアと第２エリアを仕切ることができる。
その他の構成は前記実施例と同様であるので、その説明を省略する。
また、第１エリアと第２エリアとを識別するように着色し、あるいはその境界部分に識別可能な着色ラインを表示するなどしてもよい。
また、ブラシ具のキャップと、チューブ容器の
その他、要するにこの考案の要旨を変更しない範囲で種々設計変更しうること勿論である。
【図面の簡単な説明】
【００２５】
【図１】実施例１のマスカラ用化粧セットの正面から見た部分断面図である。
【図２】実施例１の使用状態を示す説明図である。
【図３】実施例２のキャップ部を示す正面図である。
【図４】実施例３のノズル部を示す正面図であって、（ａ）は口径が最小のもの、（ｂ）は（ａ）より口径が大きいもの、（ｃ）は容器本体の口部を用いる最大のものである。
【図５】（ａ）〜（ｃ）は実施例４の仕切エリアのそれぞれ異なる例を示す横断面図である。
【図６】（ａ）は従来のマスカラ化粧具を示す分離状態の正面図、（ｂ）はキャップを閉じた状態の正面図である。
【符号の説明】
【００２６】
１    ブラシ具
２    ブラシ部
２Ａ  第１エリア
２Ｂ  第２エリア
３    保持部
４    キャップ部
５    鍔部
６    チューブ容器
７    ノズル部
８Ａ  容器本体
８Ｂ  キャップ
９    目印線
１０    マスカラ用化粧セット
【図１】
0003133490.tif 000003
【図２】
0003133490.tif 000004
【図３】
0003133490.tif 000005
【図４】
0003133490.tif 000006
【図５】
0003133490.tif 000007
【図６】
0003133490.tif 000008